(57)【要約】【課題】回線の混雑度に関わらずデータを途切れることなく表示再生する。【解決手段】第１及び第２コンテンツサーバ１２、１３は映像データＡ１０、Ｂ１０を第１及び第２分割データＡ１１〜Ｂ１２に分割した形態で記憶する。最初に第１又は第２コンテンツサーバ１２、１３はＡＤＳＬ回線１９の混雑度に関係なく第１及び第２分割データＡ１１〜Ｂ１２を送出し、第１又は第２コンピュータ１５、１６は伝送された各第１分割データＡ１１等を合成して表示再生する。ＡＤＳＬ回線１９が混雑してスムーズな伝送が困難になると、第１及び第２コンテンツサーバ１２、１３は優先度の低い各第２分割データＡ１２、Ｂ１２の送出を停止する。【選択図】　　　　図１
2004088348.tif 000002
【特許請求の範囲】
【請求項１】
データ送出装置及びデータ表示装置を備え、該データ送出装置から送出された映像データを前記データ表示装置へ伝送するデータ伝送システムにおいて、
前記データ送出装置は、
映像データを走査線単位で又は画面単位で分割した複数の分割データを記憶する記憶手段と、
該記憶手段に記憶してある各分割データを送出する送出手段と
を備え、
前記データ表示装置は、
前記送出手段が送出した各分割データを受け付ける受付手段と、
該受付手段が受け付けた各分割データを合成して合成データを生成する合成手段と、
該合成手段が生成した合成データを表示する表示手段と
を備えることを特徴とするデータ伝送システム。
【請求項２】
前記送出手段は、
前記各分割データをパケットで送出する手段を備え、
前記パケットは、
受付確認に対応した伝送パケットを含んでおり、
前記データ表示装置は更に、
前記伝送パケットを受け付けた場合、該伝送パケットの送出元のデータ送出装置へ確認信号を送信する送信手段を備え、
前記データ送出装置は更に、
前記送信手段が送信した確認信号の受信の有無を検出する検出手段と、
該検出手段が送出された伝送パケットに対する確認信号の受信を検出しなかった場合、各分割データの中のいずれかの送出を停止する停止手段と
を備える請求項１に記載のデータ伝送システム。
【請求項３】
前記データ表示装置は更に、
前記合成手段が生成した合成データの欠落部分を検出する欠落検出手段と、
該欠落検出手段が欠落部分を検出した場合、欠落通知用の通知信号を前記データ送出装置へ送信する通知送信手段と
を備え、
前記データ送出装置は更に、
前記通知送信手段が送信した通知信号を受信した場合、各分割データの中のいずれかの送出を停止する停止手段を備える請求項１に記載のデータ伝送システム。
【請求項４】
前記データ送出装置は更に、
前記各分割データに送出に対する優先度を付与する優先度付与手段を備え、
前記停止手段は、
前記優先度付与手段が付与した優先度の低い分割データから送出を停止する手段を備える請求項２又は請求項３に記載のデータ伝送システム。
【請求項５】
前記データ表示装置は更に、
前記停止手段が各分割データの中のいずれかの送出を停止した場合、前記受付手段が受け付けた分割データを複製して複製データを生成する複製手段を備え、
前記合成手段は、
前記受け付けた分割データ及び前記生成された複製データを合成して合成データを生成する手段を備える請求項２乃至請求項４のいずれかに記載のデータ伝送システム。
【請求項６】
映像データを送出するデータ送出装置において、
映像データを走査線単位で又は画面単位で分割した複数の分割データを記憶する記憶手段と、
該記憶手段に記憶してある各分割データを送出する送出手段と、
前記送出手段が送出した各分割データの不達を検出する検出手段と、
該検出手段が不達を検出した場合、各分割データの中のいずれかの送出を停止する停止手段と
を備えることを特徴とするデータ送出装置。
【発明の詳細な説明】
【０００１】
【発明の属する技術分野】
本発明は映像データの伝送に関し、特に、通信回線の伝送帯域を上回る量の映像データが伝送されようとする場合でも、途切れることなく映像データを表示再生できるデータ伝送システム及びデータ送出装置に関する。
【０００２】
【従来の技術】
従来、ビデオ・オン・デマンド等に基づき、サーバから通信回線を通じて伝送した映像データをコンピュータ等で表示再生するデータ伝送システムが存在する。サーバは、通信回線が混雑した場合でもデータ伝送が行えるように、一つのデータを、圧縮率を相違させて小データ量から大データ量までの数種のデータ量の状態で保存し、通信回線の状況に応じたデータ量のデータを送出している。
【０００３】
図７は、従来のデータ伝送システム１の全体構成図である。データ伝送システム１は、第１及び第２コンテンツサーバ２、３を接続するインターネット８からＡＤＳＬ回線９を延出すると共に、ＡＤＳＬ回線９の端末に設けたＡＤＳＬモデム７に第１及び第２コンピュータ５、６を接続している。
【０００４】
第１コンテンツサーバ２は映像データＡを、非圧縮状態の６Ｍｂｐｓの映像データＡ１、映像データＡ１を半分に圧縮した３Ｍｂｐｓの映像データＡ２及び映像データＡ１を６分の１に圧縮した１Ｍｂｐｓの映像データＡ３の計３種の状態で保存している。第１コンテンツサーバ２は、１０Ｍｂｐｓの伝送帯域を確保したＡＤＳＬ回線９の混雑度に応じて制御部２ａが送出するデータのデータ量の切換を行う。なお、第２コンテンツサーバ３も第１コンテンツサーバ２と同様の構成であり、制御部３ａが映像データＢに係る６Ｍｂｐｓの映像データＢ１、３Ｍｂｐｓの映像データＢ２及び１Ｍｂｐｓの映像データＢ３の切換を行う。
【０００５】
上述したデータ伝送システム１のデータ伝送に係る制御を説明すると、例えば、ＡＤＳＬ回線９にデータが伝送されていない状態で、第１コンピュータ５が映像データＡを要求した場合、第１コンテンツサーバ２の制御部２ａは最初にデータ量が最も大きく画質が最良の６Ｍｂｐｓの映像データＡ１を送出し、第１コンピュータ５は伝送された映像データＡ１を表示再生する。この状態で、第２コンピュータ６が映像データＢを要求した場合、第２コンテンツサーバ３の制御部３ａもデータ量が最も大きい６Ｍｂｐｓの映像データＢ１を最初に送出する。
【０００６】
映像データＢ１が送出されると、既に映像データＡ１を伝送しているＡＤＳＬ回線９の伝送帯域を超えてしまい、伝送速度が低下してデータのスムーズな伝送が不可能となり、第１及び第２コンピュータ５、６で表示される映像にコマ落ち等が生じる。このような状態になると、各制御部２、３はデータの送出を一旦停止して、画質よりデータ伝送を優先させるため、送出するデータを画質及びデータ容量が低い３Ｍｂｐｓの映像データＡ２、Ｂ２に夫々切り換える。この切換で、伝送される総データ量がＡＤＳＬ回線９の伝送帯域に収まり、第１及び第２コンピュータ５、６で表示される映像のコマ落ち等を解消している。
【０００７】
【発明が解決しようとする課題】
上述したように、データ伝送システム１はＡＤＳＬ回線９の混雑状況に応じて、送出するデータをデータ量の切換を行うが、この切換を行う際、データの送出を一旦停止するため第１コンピュータ５及び第２コンピュータ６で表示再生される映像が途切れてしまい、スムーズに連続した表示再生を行えず、表示再生状況がＡＤＳＬ回線９の混雑度に左右される問題がある。
【０００８】
なお、この問題に対して最初に全映像データをダウンロードしてから、表示再生する方式も考えられる。しかし、映像の表示側の第１及び第２コンピュータ５、６に全映像データを記憶できる記憶容量を確保する必要がある上に、要求に対して即座に映像を表示するビデオ・オン・デマンドと云う形態にも対応できないため、上述の方式はデータ伝送システム１に不適である。
【０００９】
また、データ伝送システム１では、ビデオ・オン・デマンド等に対応して第１及び第２コンテンツサーバ２、３が最大容量の映像データＡ１、Ｂ１を最初に送出する制御を行うので、スムーズなデータ伝送を行うためにＡＤＳＬ回線９のデータの伝送帯域をできるだけ大きく確保する必要がある。よって、データ伝送に係る周波数制御及びデータ復調等の制御が一段と困難になる問題がある。
【００１０】
本発明は、斯かる事情に鑑みてなされたものであり、最初からデータを分割して送出することにより、通信回線が混雑した場合でも途切れることなく映像を表示可能としたデータ伝送システム及びデータ送出装置を提供することを目的とする。
また、本発明は、元の映像データを分割して送出することで、通信回線が確保する伝送帯域を従来に比べて小さくしてもスムーズにデータを伝送できるデータ伝送システム及びデータ送出装置を提供することを目的とする。
【００１１】
【課題を解決するための手段】
第１発明に係るデータ伝送システムは、データ送出装置及びデータ表示装置を備え、該データ送出装置から送出された映像データを前記データ表示装置へ伝送するデータ伝送システムにおいて、前記データ送出装置は、映像データを走査線単位で又は画面単位で分割した複数の分割データを記憶する記憶手段と、該記憶手段に記憶してある各分割データを送出する送出手段とを備え、前記データ表示装置は、前記送出手段が送出した各分割データを受け付ける受付手段と、該受付手段が受け付けた各分割データを合成して合成データを生成する合成手段と、該合成手段が生成した合成データを表示する表示手段とを備えることを特徴とする。
【００１２】
第１発明にあっては、映像データを最初から分割した状態で送出すると共に、受付側で伝送された分割データを合成して表示再生することにより、従来と同様の表示形態を確保した上で、通信回線の状況に応じたデータ伝送を実現できる。なお、映像データの分割数は２以上であればよく、分割する割合は均等、不均等のいずれでも可能である。例えば、元の映像データが８Ｍｂｐｓであれば、４Ｍｂｐｓ毎に均等に２分割してもよく、５Ｍｂｐｓ、２Ｍｂｐｓ及び１Ｍｂｐｓと云うように不均等に３分割してもよい。
【００１３】
映像データの分割方式は、データの伝送規格及び伝送されるデータ自体の規格等に対応させて行うようにする。例えば、高速シリアル・インタフェース規格であるＩＥＥＥ１３９４に基づいてデータを伝送する場合等は、映像データを各画面毎に走査線単位で分割する。また、動画データの圧縮規格の一つであるＭＰＥＧ２により圧縮された映像データを伝送する場合等には、ＭＰＥＧ２が各画面単位でデータ圧縮を行うことに対応して、分割も画面単位で行うようにする。
【００１４】
なお、走査線単位で均等分割する例としては奇数番目の走査線及び偶数番目の走査線で夫々分割する方式等があり、走査線単位で不均等分割する例としては３の倍数の順番の走査線及び前記順番以外の走査線で夫々分割する方式等がある。また、画面単位で均等分割する例も、前記と同様に、奇数番目の各画面及び偶数番目の各画面で分割する方式等があり、不均等分割の例も３の倍数の順番の画面及び前記順番以外の画面で分割する方式等がある。
【００１５】
第２発明に係るデータ伝送システムは、前記送出手段が、前記各分割データをパケットで送出する手段を備え、前記パケットは、受付確認に対応した伝送パケットを含んでおり、前記データ表示装置は更に、前記伝送パケットを受け付けた場合、該伝送パケットの送出元のデータ送出装置へ確認信号を送信する送信手段を備え、前記データ送出装置は更に、前記送信手段が送信した確認信号の受信の有無を検出する検出手段と、該検出手段が送出された伝送パケットに対する確認信号の受信を検出しなかった場合、各分割データの中のいずれかの送出を停止する停止手段とを備えることを特徴とする。
【００１６】
第２発明にあっては、分割データを送出するパケットに受付確認に対応した伝送パケットを含ませることで、データ送出装置は伝送パケットに対してデータ表示装置が送信する確認信号の受信の有無で通信回線の混雑度を把握できる。即ち、データ送出装置が確認信号の受信を検出した場合は、通信回線は送出した各分割データを確実にデータ表示装置へ伝送しているとデータ送出装置は判断でき、現在の送出形態を続行する。
【００１７】
また、伝送パケットが送出されてから一定時間が経過しても、データ送出装置が確認信号の受信を検出しなかった場合、通信回線の混雑により各分割データが確実に伝送されていないとデータ送出装置は判断できる。この場合、データ送出装置はいずれかの分割データの送出を停止することで、通信回線の混雑度を緩和し、送出される分の分割データに対しては確実に伝送帯域を確保し、送出した分割データを伝送できるようにする。
【００１８】
このように本発明における制御では、通信回線が混雑しても全分割データの内のいずれかは継続して送出されるため、少なくとも送出したデータ分の映像は連続して表示でき、映像の途切れを防止できる。また、最初から分割データを送出すると共に、通信回線の混雑度に応じて送出する分割データを適宜停止することで、通信回線が有する伝送帯域を大きくしなくても複数の映像データを同時に伝送できる。
【００１９】
なお、分割データを送出する通常のパケットには受付確認を行わないＵＤＰ（Ｕｓｅｒ　Ｄａｔａｇｒａｍ　Ｐｒｏｔｏｃｏｌ）パケットを適用すると共に、これらＵＤＰパケットの中に所要間隔で受付確認に対応したパケットを含ませるようにすることが効率的なデータ伝送を確保する点から好ましい。また、受付確認に対応したパケットには、ＴＣＰ（Ｔｒａｎｓｍｉｓｓｉｏｎ　Ｃｏｎｔｒｏｌ　Ｐｒｏｔｏｃｏｌ）パケット等を適用できる。
【００２０】
第３発明に係るデータ伝送システムは、前記データ表示装置が更に、前記合成手段が生成した合成データの欠落部分を検出する欠落検出手段と、該欠落検出手段が欠落部分を検出した場合、欠落通知用の通知信号を前記データ送出装置へ送信する通知送信手段とを備え、前記データ送出装置は更に、前記通知送信手段が送信した通知信号を受信した場合、各分割データの中のいずれかの送出を停止する停止手段を備えることを特徴とする。
【００２１】
第３発明にあっては、データ表示装置が合成データの欠落部分を検出すると共に、欠落部分を検出した場合は通知信号をデータ送出装置へ送信するため、データ送出装置は通信回線の混雑により全分割データをスムーズに伝送できないことを認識できる。また、この認識に応じてデータ送出装置は全分割データの中のいずれかの送出を停止するので通信回線の混雑度を緩和でき、送出した分割データに対しては、確実にデータ表示装置へ伝送できる。
【００２２】
よって、通信回線が混雑した場合でも、データ表示装置で表示される映像の欠落及び乱れ等が生じることはあっても映像の途切れは発生しない。また、通信回線の混雑度に応じたデータ伝送が可能になり、通信回線が確保する伝送帯域も従来に比べて小さくて済み、伝送されるデータの復調等に係るコストも低減できる。
【００２３】
第４発明に係るデータ伝送システムは、前記データ送出装置が更に、前記各分割データに送出に対する優先度を付与する優先度付与手段を備え、前記停止手段は、前記優先度付与手段が付与した優先度の低い分割データから送出を停止する手段を備えることを特徴とする。
【００２４】
第４発明にあっては、データ送出装置が各分割データに送出に対する優先度を付与するので、通信回線の混雑により分割データのいずれかの送出を停止する場合、優先度の低い分割データから送出を停止することで、優先度の高い分割データを確実に伝送でき、映像データの主要部分の表示再生を確保できる。なお、映画等に係る映像データのコンテンツに音声データが含まれる場合、音声データは映像データに比べてデータ量も小さい上に、再生される音声の途切れは非常に目立つため、音声データの伝送は最優先にして、映像が再生不可能の場合でも音声のみは再生可能にする。
【００２５】
第５発明に係るデータ伝送システムは、前記データ表示装置が更に、前記停止手段が各分割データの中のいずれかの送出を停止した場合、前記受付手段が受け付けた分割データを複製して複製データを生成する複製手段を備え、前記合成手段は、前記受け付けた分割データ及び前記生成された複製データを合成して合成データを生成する手段を備えることを特徴とする。
【００２６】
第５発明にあっては、いずれかの分割データの送出が停止された場合、データ表示装置は伝送された分割データを元に複製した複製データを利用して合成データを生成するため、表示される映像の一画面としての体裁を保つことができる。なお、複製の方式は映像データの分割方式に応じて行い、例えば、走査線単位で分割した場合で、奇数番目の走査線に係る分割データのみを伝送したときは、奇数番目の走査線の分割データを複製した複製データを偶数番目の走査線のデータとして、伝送された奇数番目の分割データと合成することにより、一画面分の合成データを生成して表示できる。
【００２７】
また、画面単位で分割した場合で、奇数番目の画面に係る分割データのみを伝送したときは、各奇数番目の画面フレームに係る分割データを複製した複製データを偶数番目の画面フレームとして、伝送された分割データと合成することで連続した映像を表示できる。
【００２８】
第６発明に係るデータ送出装置は、映像データを送出するデータ送出装置において、映像データを走査線単位で又は画面単位で分割した複数の分割データを記憶する記憶手段と、該記憶手段に記憶してある各分割データを送出する送出手段と、前記送出手段が送出した各分割データの不達を検出する検出手段と、該検出手段が不達を検出した場合、各分割データの中のいずれかの送出を停止する停止手段とを備えることを特徴とする。
【００２９】
第６発明にあっては、映像データを分割した分割データを送出すると共に、スムーズにデータを伝送できない場合は、分割データのいずれかの送出を停止するので、他の分割データは連続して伝送でき、データの伝送が一旦中断されるような事態を防止できる。また、最初から分割データを送出すると共に、いずれかの分割データの送出を停止可能にすることで、通信回線の混雑度に柔軟に対応でき、通信回線が有する伝送帯域を従来に比べて低く抑えることができる。
【００３０】
【発明の実施の形態】
以下、本発明をその実施の形態を示す図面に基づいて説明する。
図１は、本発明の実施形態に係るデータ伝送システム１０の全体構成図である。データ伝送システム１０は、第１及び第２コンテンツサーバ１２、１３をインターネット１８に接続し、このインターネット１８から延出するＡＤＳＬ回線１９の端末に設けたＡＤＳＬモデム１７に第１及び第２コンピュータ１５、１６を接続しシステムを構築している。なお、ＡＤＳＬ回線１９は、図７の従来のＡＤＳＬ回線９に比べて小さい８Ｍｂｐｓの伝送帯域を有している。
【００３１】
第１コンテンツサーバ１２はデータ送出装置に該当し、記憶している映像データを送出するものである。第１コンテンツサーバ１２は記憶手段に該当するハードディスク１２ｂ、及び、ＣＰＵからなる制御部１２ａを備えており、ハードディスク１２ｂは６Ｍｂｐｓの映像データＡ１０を均等分割した各３Ｍｂｐｓの第１分割データＡ１１及び第２分割データＡ１２を記憶している。
【００３２】
映像データＡ１０は、図２に示すように、連続する画面のコマフレームで構成されており、画面単位で均等に分割して第１及び第２分割データＡ１１、Ａ１２を形成している。この第１分割データＡ１１は、映像データＡ１０の最初の画面から数えて奇数番目に当たる各画面で構成されており、第２分割データＡ１２は偶数番目に当たる各画面で構成されている。また、ハードディスク１２ｂはデータ記憶時に、送出に係る優先度を各データに付与する優先度付与手段の機能を具備しており、本実施形態では、映像データＡ１０の主要部分を構成する割合が多い第１分割データＡ１１に高い優先度を付与し、第２分割データＡ１２に低い優先度を付与している。
【００３３】
一方、図１に示す制御部１２ａは、第１コンテンツサーバ１２に係る送出手段、検出手段及び停止手段等として機能している。制御部１２ａの送出手段は、ハードディスク１２ｂが記憶している第１分割データＡ１１及び第２分割データＡ１２を外部からの要求に応じて送出する制御を行うものである。送出手段によるデータの送出にはパケットが用いられており、パケットの種類は、図３に示すように、データ送出に対して受付確認を要求しないＵＤＰパケットが大部分を占めており、所要間隔で受付確認に対応した伝送パケットのＴＣＰパケットが混在されている。
【００３４】
このように、送出手段は大部分のパケットを、受付確認を行わないＵＤＰパケットにすることで所要の伝送速度を確保して効率的なデータ伝送を実現すると共に、多数のＵＤＰパケットの中にＴＣＰパケットを混在させることで、ＡＤＳＬ回線１９の混雑等を要因とする送出データの不達を検出可能にしている。なお、後述するようにＴＣＰパケットを受け付けた機器は、通信規約に基づき受付の確認信号をＴＣＰパケットの送出元へ送信することになる。
【００３５】
また、本実施形態では多数のＵＤＰパケットの中にＴＣＰパケットを混在させる割合をＵＤＰパケットの個数間隔で行っており、例えば、連続する５０個のＵＤＰパケットに対して１個のＴＣＰパケットを混在させて、データ伝送速度及び受付確認の回数のバランスを取っている。なお、ＴＣＰパケットを混在させる個数間隔は前記数値以外でも可能であり、また、１分間隔で１個のＴＣＰパケットを混在させると云うように時間間隔で混在間隔を設定することも可能である。
【００３６】
さらに、制御部１２ａの検出手段は、前記送出されたＴＣＰパケットに対する確認信号の受信の有無を検出するものである。さらに、また、制御部１２ａの停止手段は、ＴＣＰパケットを送出されたにも関わらず、一定時間内に前記検出手段が送出されたＴＣＰパケットに対する確認信号の受信を検出しなかった場合に、優先度の低い分割データから送出を停止する制御を行うものである。よって、本実施形態では第２分割データＡ１２の優先度が低いので、停止手段は最初に第２分割データＡ１２の送出を停止することになる。
【００３７】
また、図１に示す第２コンテンツサーバ１３は、第１コンテンツサーバ１２と同様の構成を具備し、記憶手段であるハードディスク１３ｂには６Ｍｂｐｓの映像データＢ１０を、優先度の高い３Ｍｂｐｓの第１分割データＢ１１及び優先度の低い３Ｍｂｐｓの第２分割データに分割して記憶し、送出手段、検出手段及び停止手段等として機能する制御部１３ａを備えている。
【００３８】
一方、図１に示すデータ表示装置に該当する第１コンピュータ１５は、ＡＤＳＬ回線１９を通じて伝送された映像データの表示再生を行うものである。図４に示すように、第１コンピュータ１５は内部に送受信部１５ａ、ＣＰＵ１５ｂ、データ出力部１５ｃ、メモリ１５ｄ及びハードディスク１５ｅを備えている。
【００３９】
送受信部１５ａは受付手段及び送信手段として機能する。送受信部１５ａの受付手段は、インターネット１８及びＡＤＳＬ回線１９を通じて第１及び第２コンテンツサーバ１２、１３から送出された分割データＡ１１〜Ｂ１２を伝送するＵＤＰパケット及びＴＣＰパケットの受付を行うものである。また、送受信部１５ａは、受け付けた各パケットを、その後の処理のためにＣＰＵ１５ｂへ送出している。
【００４０】
送受信部１５ａの送信手段は、上述した受付手段がＴＣＰパケットを受け付けた場合、ＣＰＵ１５ｂの指示に基づき受け付けたＴＣＰパケットに対する確認信号を、このＴＣＰパケットの送出元の第１コンテンツサーバ１２又は第２コンテンツサーバ１３のいずれかへ送信するものである。
【００４１】
第１コンピュータ１５のＣＰＵ１５ｂは合成手段及び複製手段等として機能している。ＣＰＵ１５ｂの合成手段は、送受信部１５ａが受け付けた各パケットの分割データＡ１１等を合成して合成データを生成するものである。この合成手段による処理は図２に示す分割方向とは逆方向で行われ、例えば、第１分割データＡ１１の各画面及び第２分割データＡ１２の各画面を交互に組み合わせて合成データである元の連続する映像データＡ１０を生成する。
【００４２】
また、第１及び第２コンテンツサーバ１２、１３の停止手段により各分割データＡ１１等のいずれかの送出が停止された場合、合成手段は複製手段により複製された複製データ及び伝送された各分割データＡ１１等を合成して合成データを生成する。このＣＰＵ１５ｂの複製手段は、上述したようにＡＤＳＬ回線１９の混雑により優先度の低い第２分割データＡ１２、Ｂ１２の送出が停止された場合、送受信部１５ａが受け付けた優先度の高い奇数番目の各画面に係る第１分割データＡ１１、Ｂ１１を複製して複製データを生成するものである。
【００４３】
よって、ＣＰＵ１５ｂの合成手段は、上述した複製手段が生成した複製データを偶数番目の各画面に係るデータとして受け付けた奇数番目の各画面に係る第１分割データＡ１１等と合成することで、各画面が連続した合成データを生成している。合成手段は、このように各分割データＡ１１等の伝送状況に応じて適宜合成データを生成することにより、表示用の合成データがコマ落ちとなることを防止している。
【００４４】
また、ＣＰＵ１５ｂは、上述した合成手段が生成した合成データをデータ出力部１５ｃへ送出してデータ出力部１５ｃが、図１に示す表示手段に該当するディスプレイ１５ｆへ合成データを適宜出力する制御も行う。この制御でデータ出力部１５ｃがディスプレイ１５ｆへ合成データを随時出力することにより、出力された合成データがディスプレイ１５ｆで表示される。なお、ＣＰＵ１５ｂは前記以外にも上述した確認信号の送信に係る制御等も行っている。
【００４５】
図４に示す第１コンピュータ１５のメモリ１５ｄは、送受信部１５ａが受け付けたデータ及び待機中のデータ等を一時的に記憶するものであり、ハードディスク１５ｅは、上述した各手段としてＣＰＵ１５ｂを機能させるためのプログラムが記憶されていると共に各種データ等の記憶用にも利用されている。
【００４６】
また、図１に示す第２コンピュータ１６は、第１コンピュータ１５と基本的に同様の構成を備えており、第２コンピュータ１６のＣＰＵ（図示せず）が合成手段及び複製手段等として機能し、第２コンピュータ１６の送受信部（図示せず）が受付手段及び送信手段として機能し、液晶画面１６ｆが表示手段として機能する。
【００４７】
さらに、図１に示すＡＤＳＬ回線１９は端部に設けたＡＤＳＬモデム１７を介して第１コンピュータ１５及び第２コンピュータ１６がインターネット１８にアクセスできる環境を提供している。
【００４８】
次に、上述した構成のデータ伝送システム１０のデータ伝送状況の一例を、図５のタイムチャートに基づき時系列で説明する。なお、最初の状態では、ＡＤＳＬ回線１９はデータを伝送していないものとする。
先ず、時間Ｔ１で第１コンピュータ１５がインターネット１８にアクセスして映像データＡ１０を要求したとする。この要求に対して時間Ｔ２で、映像データＡ１０を記憶している第１コンテンツサーバ１２が第１及び第２分割データＡ１１、Ａ１２をＵＤＰパケット及びＴＣＰパケットで第１コンピュータ１５へ送出する。
【００４９】
前記各分割データＡ１１、Ａ１２は合わせて６Ｍｂｐｓのデータ量になるが、ＡＤＳＬ回線１９の伝送帯域に収まるため、各分割データＡ１１、Ａ１２を第１コンピュータ１５へスムーズに伝送できる。よって、時間Ｔ３で、第１コンピュータ１５は伝送された第１及び第２分割データＡ１１、Ａ１２を合成した合成データ（Ａ１１＋Ａ１２）を表示再生する。
【００５０】
このような状況において、時間Ｔ４で、第２コンピュータ１６がインターネット１８にアクセスして映像データＢ１０を要求した場合、次の時間Ｔ５で、第２コンテンツサーバ１３が第１及び第２分割データＢ１１、Ｂ１２を第２コンピュータ１６へ送出する。この各分割データＢ１１、Ｂ１２の伝送により、ＡＤＳＬ回線１９で伝送されようとするデータ量は計１２Ｍｂｐｓとなり、ＡＤＳＬ回線１９の８Ｍｂｐｓの伝送帯域を上回る。
【００５１】
その結果、時間Ｔ６でＡＤＳＬ回線１９でのデータ伝送速度が低下し、各分割データＡ１１〜Ｂ１２の全データがスムーズに伝送されなくなり、第１コンピュータ１５及び第２コンピュータ１６が各合成データ（Ａ１１＋Ａ１２）、（Ｂ１１＋Ｂ１２）を表示再生するが、表示映像は乱れてコマ落ち等が生じた状態になる。また、スムーズにデータが伝送されないことにより、第１及び第２コンテンツサーバ１２、１３でのＴＣＰパケットに対する確認信号の受信の検出が不可能になる。
【００５２】
前記確認信号の受信の検出が不可能になるに伴い、時間Ｔ７で第１コンテンツサーバ１２が第２分割データＡ１２の送出を停止すると共に、第２コンテンツサーバ１３も第２分割データＢ１２の送出を停止する。この各第２分割データＡ１２、Ｂ１２の送出停止によりＡＤＳＬ回線１９の伝送帯域に余裕が生じ、第１分割データＡ１１、Ｂ１１の第１コンピュータ１５及び第２コンピュータ１６への伝送がスムーズに行われるようになる。
【００５３】
このスムーズなデータ伝送を受けて、時間Ｔ８で第１コンピュータ１５が第１分割データＡ１１を複製した複製データ（Ａ１１′）及び第１分割データＡ１１を合成した合成データ（Ａ１１′＋Ａ１１）を表示再生すると共に、第２コンピュータ１６も第１分割データＢ１１の複製データ（Ｂ１１′）及び第１分割データＢ１１を合成した合成データ（Ｂ１１′＋Ｂ１１）を表示再生する。
【００５４】
このように、本発明のデータ伝送システム１０では、ＡＤＳＬ回線１９が混雑した場合でも、従来のように送出するデータの切換のために送出を停止しないで、連続して第１分割データＡ１１、Ｂ１１を送出するため、第１コンピュータ１５及び第２コンピュータ１６で表示される映像は途切れることがない。
【００５５】
なお、本発明に係るデータ伝送システム１０は上記形態に限定されるものではなく、例えば、３台以上のコンテンツサーバ及び３台以上のデータ表示装置に該当するコンピュータを接続してシステムを構築することも可能である。また、第１及び第２コンテンツサーバ１２、１３が記憶する分割データの分割数は３分割以上でも可能であり、分割の割合も不均等でもよい。
【００５６】
さらに、分割する方式としては、伝送規格にＩＥＥＥ１３９４を適用してシステムを構築しているとき等は、映像データを一画面の走査線単位で分割するようにしてもよい。例えば、図６に示すように複数本の走査線で構成される映像データＣ１０を、上から数えて奇数本目の走査線のみで構成される第１分割データＣ１１及び偶数番目の走査線のみで構成される第２分割データＣ１２に分割するようにしてもよい。
【００５７】
また、この場合、第１分割データＣ１１の優先度を高く、第２分割データＣ１２の優先度を低くした場合で、第２分割データＣ１２の送出が停止されたとき、データ表示装置に該当するコンピュータでは、第１分割データＣ１１を複製して複製データを作成し、この複製データを偶数番目のデータとして第１分割データＣ１１と合成することにより、表示用の合成データを作成するようにする。なお、このように走査線単位で分割する場合でも、元の映像データを３以上に均等又は不均等で分割可能である。
【００５８】
さらに、第１及び第２コンテンツサーバ１２、１３がＡＤＳＬ回線１９の混雑具合の検出に対してＴＣＰパケットを送出する代わりに、第１及び第２コンピュータ１５、１６に合成データの欠落部分を検出する欠落検出手段及び欠落検出に対して欠落通知用の通知信号を送信する通知送信手段を備えるようにしてもよい。この場合、第１及び第２コンテンツサーバ１２、１３は、送信された通知信号を受信した場合、上述した確認信号の受信のときと同様に、停止手段が優先度の低い第２分割データＡ１２、Ｂ１２の送出を停止するようにしてＡＤＳＬ回線１９の混雑具合を緩和する。
【００５９】
なお、上述した欠落検出手段は、具体的には図４のＣＰＵ１５ｂに機能させて、合成手段で生成した合成データにＡＤＳＬ回線１９の混雑により伝送できなかったデータ部分に対応する欠落部分が存在するかをＣＰＵ１５ｂが検出する。また、前記通知送信手段もＣＰＵ１５ｂに機能させて、ＣＰＵ１５ｂの欠落検出手段が欠落部分を検出した場合、通知信号を送受信部１５ａから第１コンテンツサーバ１２等へ送信する制御を行わせるようにする。
【００６０】
さらに、また、第１及び第２コンテンツサーバ１２、１３が優先度の低い第２分割データＡ１２、Ｂ１２の送出を停止した場合、第１及び第２コンピュータ１５、１６からの要求により再度、優先度の低い第２分割データＡ１２、Ｂ１２の送出を再開できるようにしてもよい。
【００６１】
この場合、例えば、図４に示す第１コンピュータ１５のハードディスク１５ｅに記憶されるプログラムに、キーボード又はマウス等の入力機器による手動操作で、送出が停止された第２分割データＡ１２の送出の再開指示を受け付けるような機能を設けて、ＣＰＵ１５ｂが送出の再開指示を認識できるようにする。また、前記プログラムに、ＣＰＵ１５ｂが送出の再開指示を認識した場合、再開信号を第１コンテンツサーバ１２へ送信する制御をＣＰＵ１５ｂが行うようにする。
【００６２】
一方、図１に示す第１コンテンツサーバ１２は、制御部１２ａに送出再開手段を設けて、上述した第１コンピュータ１５からの再開信号を受け付けた場合、送出を停止していた第２分割データＡ１２の送出を再開するように制御する。このように第２分割データＡ１２の送出を再開した際、第２コンテンツサーバ１３のデータ送出が終了していれば、ＡＤＳＬ回線１９の伝送帯域に余裕があるため、第１コンテンツサーバ１２から第１及び第２分割データＡ１１、Ａ１２が送出され、第１コンピュータ１５では合成データ（Ａ１１＋Ａ１２）を表示再生し、表示される映像の画質を最良な状態に戻すことができる。
【００６３】
また、第１コンテンツサーバ１２が第２分割データＡ１２の送出を再開した場合、依然として第２コンテンツサーバ１３が第１分割データＢ１１を送出していると、８Ｍｂｐｓの伝送帯域を有するＡＤＳＬ回線１９には、計９Ｍｂｐｓの第１分割データＡ１１、Ｂ１１及び第２分割データＡ１２が伝送されようとするので、伝送速度が低下しスムーズなデータ伝送が困難になる。この場合、上述したように第１コンピュータ１５からの確認信号又は通知信号により、第１コンテンツサーバ１２が、再度、第２分割データＡ１２の送出を停止し、ＡＤＳＬ回線１９でデータをスムーズに伝送できるようにする。
【００６４】
なお、第１コンピュータ１５から手動操作により再開信号を送出する際、ＣＰＵ１５ｂの再開信号を送出する制御を行うため、表示再生される映像が一瞬乱れることもあるが、このような乱れは突然に生じるものではなく、映像の視聴者が自ら手動操作を行った結果により生じるものなので、特に支障はない。
【００６５】
また、上述した送出再開の処理は、第１コンテンツサーバ１２及び第１コンピュータ１５に基づいて説明したが、第２コンテンツサーバ１３に送出再開手段を設けると共に第２コンピュータ１６に手動操作で再開信号を送信する手段を設けることにより、第２コンテンツサーバ１３が送出を停止している第２分割データＢ１２の送出を再開させることも、もちろん可能である。
【００６６】
【発明の効果】
以上に詳述した如く、第１発明にあっては、分割データを送出すると共に受付側で伝送された分割データを合成して表示再生することで、従来と同様の表示形態を確保して通信回線の状況に応じたデータ伝送を実現できる。
第２発明、第３発明及び第６発明にあっては、送出データの不達を検出することで通信回線の混雑度を判断でき、通信回線が混雑していると判断した場合は、いずれかの分割データの送出を停止することにより、通信回線の混雑度を緩和して他の分割データを確実に伝送して途切れることなく映像を表示できると共に、通信回線の伝送帯域が従来より小さくてもスムーズなデータ伝送を確保できる。
【００６７】
第４発明にあっては、各分割データに送出に対する優先度が付与されることで、分割データのいずれかの送出を停止する場合、優先度の低い分割データから送出を停止して優先度の高い分割データを確実に伝送し、主要なデータ部分の表示再生を確保できる。
【００６８】
第５発明にあっては、分割データのいずれかが伝送を停止された場合、伝送された分割データを複製して複製データを生成し、この複製データと伝送された分割データで合成データを生成するため、表示される映像の体裁を整えることができる。
【図面の簡単な説明】
【図１】本発明の実施形態に係るデータ伝送システムの全体構成図である。
【図２】映像データを画面単位で分割する場合の概略図である。
【図３】データ送出に係るＵＤＰパケット及びＴＣＰパケットの概略図である。
【図４】第１コンピュータの内部構成図である。
【図５】本発明のデータ伝送システムの処理の一例に係るタイムチャートである。
【図６】映像データを走査線単位で分割する場合の概略図である。
【図７】従来のデータ伝送システムの全体構成図である。
【符号の説明】
１０　データ伝送システム
１２　第１コンテンツサーバ
１２ａ　制御部
１２ｂ　ハードディスク
１３　第２コンテンツサーバ
１５　第１コンピュータ
１５ａ　送受信部
１５ｂ　ＣＰＵ
１７　ＡＤＳＬモデム
１８　インターネット
１９　ＡＤＳＬ回線
Ａ１０、Ｂ１０　映像データ
Ａ１１、Ｂ１１　第１分割データ
Ａ１２、Ｂ１２　第２分割データ
【図１】
2004088348.tif 000003
【図２】
2004088348.tif 000004
【図３】
2004088348.tif 000005
【図４】
2004088348.tif 000006
【図５】
2004088348.tif 000007
【図６】
2004088348.tif 000008
【図７】
2004088348.tif 000009